(57)【要約】【課題】複数の中空埋込体を支持筋で一列に連設した際に、中空埋込体の所定ピッチでの位置決めと、中空埋込体の支持筋への固定とを同時に行うことができる中空埋込体ユニットを提供する。【解決手段】複数の中空埋込体２０とこれらを所定ピッチで一列に連設する支持筋１０とを有する中空埋込体ユニット１であって、支持筋１０が複数の係止用フランジ部１４を有し、中空埋込体２０が支持筋１０を係止する支持筋係止部４０を有し、支持筋係止部４０が、係止用フランジ部１４が係合した状態で支持筋１０をスライドさせるガイド溝４２と、ガイド溝４２をスライドする支持筋１０が挿入される凹部を有するフック部４４と、フック部４４の凹部に挿入された支持筋１０に当接してフック部４４の凹部の開口部側への支持筋１０のスライドを規制する規制部４６とを有する。【選択図】図１
2011220036.tif 000002
【特許請求の範囲】
【請求項１】
複数の中空埋込体と、
前記中空埋込体を所定ピッチで一列に連設する支持筋と
を有する中空埋込体ユニットであって、
前記支持筋が、
棒状の支持筋本体と、
前記支持筋本体に所定ピッチで形成され、前記支持筋本体の長手方向に直交する方向に突出した複数のフランジ部と
を有し、
前記中空埋込体が、
内部に中空部を有する外殻と、
前記外殻の表面に設けられた、前記支持筋を係止する支持筋係止部と
を有し、
前記支持筋係止部が、
前記外殻の表面に形成され、前記支持筋のフランジ部が係合した状態で前記支持筋をその長手方向に直交する方向にスライドさせるガイド溝と、
前記外殻の表面から突設され、前記ガイド溝の長手方向にスライドする前記支持筋の支持筋本体が挿入される凹部を有するフック部と、
前記外殻の表面に設けられ、前記フック部の凹部に挿入された前記支持筋本体に当接して前記フック部の凹部の開口部側への前記支持筋のスライドを規制する規制部と
を有する、中空埋込体ユニット。
【請求項２】
前記支持筋のフランジ部が、前記中空埋込体の数よりも２つ多くに形成され、それらのうち両側に位置するフランジ部は、前記支持筋本体の端部近傍に形成され、かつ該フランジ部とこれに最も近い内側のフランジ部との間隔が、前記所定ピッチの半分である、請求項１に記載の中空埋込体ユニット。
【請求項３】
前記規制部が、前記フック部の凹部に前記支持筋本体を挿入する際には、前記支持筋本体に押圧されて弾性変形するものであり、かつ前記フック部の凹部に前記支持筋本体が挿入された後には、前記支持筋本体に先端部が当接して前記支持筋のスライドを規制するものである、請求項１または２に記載の中空埋込体ユニット。
【請求項４】
前記支持筋が、２本であり、
前記中空埋込体が、それぞれの支持筋に対応した前記支持筋係止部を有する、請求項１〜３のいずれかに記載の中空埋込体ユニット。
【請求項５】
前記中空埋込体が、
二分割可能な外殻と、
二分割された外殻同士をその開口周縁部にて連結するヒンジ部と、
前記外殻の中心を挟んで前記ヒンジ部とは反対側の開口周縁部の近傍に設けられた前記支持筋係止部と
を有する、請求項１〜４のいずれかに記載の中空埋込体ユニット。
【発明の詳細な説明】
【技術分野】
【０００１】
本発明は、コンクリートスラブ内に複数の中空埋込体を埋設して中空コンクリートスラブを形成する中空スラブ工法に用いられる中空埋込体ユニットに関する。
【背景技術】
【０００２】
コンクリートスラブ内に複数の中空埋込体を埋設して、中空部を有する中空コンクリートスラブを形成する、いわゆる中空スラブ工法（ボイドスラブ工法とも呼ばれる。）が知られている。中空スラブ工法によって中空コンクリートスラブを形成することによって、下記の利点が生じる。
・コンクリートスラブの軽量化および強度向上が図れ、その結果、梁を極力なくすことができ、広い室内空間を確保できる。
・コンクリートスラブの遮音性が向上する。
【０００３】
中空スラブ工法による中空コンクリートスラブの施工方法としては、型枠パネルの上に下端筋および上端筋をそれぞれ格子状に配筋し；下端筋の格子の１つの升目とこれに対応する上端筋の格子の１つの升目とそれぞれの升目の角同士を結ぶ仮想線とで形成される略立方体の配置用空間のそれぞれに上端筋の上方から中空埋込体を１つ１つ挿入して配置し；下端筋、中空埋込体および上端筋が完全に埋まるように型枠パネルの上にコンクリートを打設し；コンクリートが硬化した後、型枠パネルを脱型する方法が挙げられる。
【０００４】
中空スラブ工法に用いられる中空埋込体としては、複数の中空埋込体を複数の配置用空間に同時に配置でき、また、コンクリート打設の際の中空埋込体の浮き上がりを抑制できることから、複数の中空埋込体を支持筋で一列に連設してユニット化した中空埋込体ユニットが提案されている（特許文献１）。
【０００５】
しかし、この中空埋込体ユニットにおいては、中空埋込体の表面から突設された支持筋取付片の支持筋挿通孔に支持筋を挿通しているだけであるため、中空埋込体は支持筋の長手方向に移動自在とされている。そのため、下記の問題が生じる。
・配置用空間のピッチに合わせて中空埋込体をあらかじめ位置決めする場合、施工の現場においてメジャー等で中空埋込体のピッチを１つ１つ計測しながら位置決めする必要があり、煩雑である。
・中空埋込体が支持筋の長手方向に移動しやすいため、せっかく中空埋込体を所定ピッチで位置決めしても、中空埋込体ユニットの各中空埋込体をそれぞれ配置用空間に配置する際、各中空埋込体の位置がずれやすく、すべての中空埋込体を同時に配置用空間に挿入することが困難である。
【先行技術文献】
【特許文献】
【０００６】
【特許文献１】特許第３９９０３８０号公報
【発明の概要】
【発明が解決しようとする課題】
【０００７】
本発明は、複数の中空埋込体を支持筋で一列に連設した際に、中空埋込体の所定ピッチでの位置決めと、中空埋込体の支持筋への固定とを同時に行うことができる中空埋込体ユニットを提供する。
【課題を解決するための手段】
【０００８】
本発明の中空埋込体ユニットは、複数の中空埋込体と、前記中空埋込体を所定ピッチで一列に連設する支持筋とを有する中空埋込体ユニットであって、
前記支持筋が、棒状の支持筋本体と、前記支持筋本体に所定ピッチで形成され、前記支持筋本体の長手方向に直交する方向に突出した複数のフランジ部とを有し、
前記中空埋込体が、内部に中空部を有する外殻と、前記外殻の表面に設けられた、前記支持筋を係止する支持筋係止部とを有し、
前記支持筋係止部が、前記外殻の表面に形成され、前記支持筋のフランジ部が係合した状態で前記支持筋をその長手方向に直交する方向にスライドさせるガイド溝と、前記外殻の表面から突設され、前記ガイド溝の長手方向にスライドする前記支持筋の支持筋本体が挿入される凹部を有するフック部と、前記外殻の表面に設けられ、前記フック部の凹部に挿入された前記支持筋本体に当接して前記フック部の凹部の開口部側への前記支持筋のスライドを規制する規制部とを有することを特徴とする。
【０００９】
前記支持筋のフランジ部は、前記中空埋込体の数よりも２つ多くに形成され、それらのうち両側に位置するフランジ部は、前記支持筋本体の端部近傍に形成され、かつ該フランジ部とこれに最も近い内側のフランジ部との間隔が、前記所定ピッチの半分であることが好ましい。
前記規制部は、前記フック部の凹部に前記支持筋本体を挿入する際には、前記支持筋本体に押圧されて弾性変形するものであり、かつ前記フック部の凹部に前記支持筋本体が挿入された後には、前記支持筋本体に先端部が当接して前記支持筋のスライドを規制するものであることが好ましい。
【００１０】
前記支持筋が２本であり、前記中空埋込体が、それぞれの支持筋に対応した前記支持筋係止部を有することが好ましい。
前記中空埋込体は、二分割可能な外殻と、二分割された外殻同士をその開口周縁部にて連結するヒンジ部と、前記外殻の中心を挟んで前記ヒンジ部とは反対側の開口周縁部の近傍に設けられた前記支持筋係止部とを有することが好ましい。
【発明の効果】
【００１１】
本発明の中空埋込体ユニットによれば、複数の中空埋込体を支持筋で一列に連設した際に、中空埋込体の所定ピッチでの位置決めと、中空埋込体の支持筋への固定とを同時に行うことができる。
【図面の簡単な説明】
【００１２】
【図１】本発明の中空埋込体ユニットの一例を示す斜視図である。
【図２】支持筋の一例を示す側面図である。
【図３】外殻が閉じた状態の中空埋込体の一例を示す上面図である。
【図４】外殻が閉じた状態の中空埋込体の一例を示す側面図である。
【図５】外殻が開いた状態の中空埋込体の一例を示す上面図である。
【図６】外殻が開いた状態の中空埋込体の一例を示す側面図である。
【図７】外殻が開いた状態にて中空埋込体ユニットを積み重ねた様子を示す斜視図である。
【図８】中空埋込体の支持筋係止部に支持筋を係止した状態を示す斜視図である。
【図９】２つの支持筋１０を連結した際の支持筋１０の端部付近を示す側面図である。
【図１０】外殻が開いた状態の中空埋込体の他の例を示す斜視図である。
【図１１】本発明の中空埋込体ユニットを用いた中空スラブ工法による中空コンクリートスラブの施工方法の一工程を示す斜視図である。
【図１２】本発明の中空埋込体ユニットを用いた中空スラブ工法による中空コンクリートスラブの施工方法の一工程を示す斜視図である。
【図１３】本発明の中空埋込体ユニットを用いた中空スラブ工法による中空コンクリートスラブの施工方法の一工程を示す斜視図である。
【発明を実施するための形態】
【００１３】
＜中空埋込体ユニット＞
図１は、本発明の中空埋込体ユニットの一例を示す斜視図である。
中空埋込体ユニット１は、２本の平行な支持筋１０と；支持筋１０の下方に吊設されることによって支持筋１０の長手方向に所定ピッチで一列に連設された複数の球状の中空埋込体２０とを有する。
【００１４】
中空埋込体ユニット１における中空埋込体２０間のピッチとは、中空埋込体２０の中心と、この隣に位置する中空埋込体２０の中心との間隔のことである。中空埋込体２０間のピッチは、中空埋込体２０の寸法よりも少し長くされる。このことによって、中空埋込体２０は、この隣に位置する中空埋込体２０と接触することはなく、所定の隙間をもって連設される。
【００１５】
中空埋込体ユニット１における中空埋込体２０間のピッチ、中空埋込体２０間の隙間の幅、中空埋込体２０の寸法は、最終的に形成される中空コンクリートスラブに要求される強度、遮音性等に応じて適宜設計される、中空コンクリートスラブの厚さ、中空コンクリートスラブの中空部の大きさ、中空部の間隔等に応じて、適宜決定すればよい。
中空埋込体ユニット１における中空埋込体２０の数（中空埋込体ユニット１の長さ）は、中空埋込体ユニットの取扱性に応じて適宜決定すればよく、図示例の中空埋込体ユニット１においては、中空埋込体２０の数は５つである。
【００１６】
（支持筋）
支持筋１０は、複数の中空埋込体２０を所定ピッチで一列に連設するための部材であり、かつコンクリート打設時には上端筋に固定されて中空埋込体２０の浮き上がりを抑制する部材でもある。
【００１７】
支持筋１０は、図２に示すように、棒状の支持筋本体１２と；中空埋込体２０のピッチと同じピッチで中空埋込体２０の数と同じ数だけ支持筋本体１２に形成され、支持筋本体１２の長手方向に直交する方向に突出した係止用フランジ部１４と；支持筋本体１２の端部近傍に形成され、支持筋本体１２の長手方向に直交する方向に突出した２つ連結用フランジ部１６とを有する。
【００１８】
支持筋本体１２の長さや太さは、中空埋込体２０の数に応じて適宜決定すればよい。
係止用フランジ部１４の、支持筋本体１２から突出した長さは、後述する中空埋込体２０の支持筋係止部４０を構成するガイド溝４２に係合できる程度の長さであればよい。
【００１９】
連結用フランジ部１６の、支持筋本体１２から突出した長さは、２つの支持筋１０を連結する際に、一方の支持筋１０の連結用フランジ部１６と他方の支持筋１０の連結用フランジ部１６とを確実に突き合わせることができる程度の長さであればよい。
連結用フランジ部１６とこれに最も近い係止用フランジ部１４との間隔は、係止用フランジ部１４間のピッチの半分とされる。
【００２０】
（中空埋込体）
中空埋込体２０は、中空コンクリートスラブ内における中空部を形成するための球状の部材である。
中空埋込体２０の材料としては、プラスチック（ポリプロピレン等）が挙げられる。
中空埋込体２０は、例えば、射出成形法等によってプラスチックを一体成形することによって製造される。
【００２１】
中空埋込体２０は、図３〜図６に示すように、内部に中空部を有し、半球状の第１の分割外殻２２と半球状の第２の分割外殻２４とに分割可能な外殻２６と；第１の分割外殻２２と第２の分割外殻２４とをその開口周縁部２７にて連結するヒンジ部２８と；第１の分割外殻２２の開口周縁部２７に設けられた３つの係止爪部３０と；第２の分割外殻２４の開口周縁部２７に設けられた３つの係止穴部３２と；第１の分割外殻２２および第２の分割外殻２４の開口周縁部２７から表面に沿って外殻２６の分割面に直交する方向に延びる６つの荷崩れ防止リブ３４と；第１の分割外殻２２および第２の分割外殻２４の開口周縁部２７に形成された４つの嵌合凹部３６と；外殻２６の中心を挟んでヒンジ部２８とは反対側の第１の分割外殻２２および第２の分割外殻２４の開口周縁部２７の近傍の外殻の表面に設けられた２つの支持筋係止部４０とを有する。
【００２２】
第１の分割外殻２２および第２の分割外殻２４は、外殻２６を分割面にて二分割した半球状の部材であり、それぞれの開口周縁部２７を重ね合わせることによって中空部を有する外殻２６を形成する。
分割面とは、外殻２６が閉じている状態では、第１の分割外殻２２の開口周縁部２７と第２の分割外殻２４の開口周縁部２７との境界線に囲まれた境界面であり、外殻２６が開いている状態では、第１の分割外殻２２の開口周縁部２７に囲まれた開口面および第２の分割外殻２４の開口周縁部２７に囲まれた開口面である。
【００２３】
ヒンジ部２８は、図５に示すように、外殻２６を第１の分割外殻２２および第２の分割外殻２４に二分割して開いた状態において、第１の分割外殻２２の開口周縁部２７と第２の分割外殻２４と開口周縁部２７とが最も接近する、開口周縁部２７上の点（以下、基準点Ａという。）を挟むように離間して２箇所設けられる。
【００２４】
ヒンジ部２８には、その中央に、基準点Ａと外殻２６の中心とを結ぶ線に直交する方向に延びる筋状の薄肉部３８が形成される。薄肉部３８においてヒンジ部２８を折り曲げることによって、図６に示すように、薄肉部３８が回動軸となって、ヒンジ部２８に接続する第１の分割外殻２２および第２の分割外殻２４が回動自在となり、その結果、外殻２６が開閉自在となる。
【００２５】
係止爪部３０は、図５に示すように、第１の分割外殻２２の開口周縁部２７の基準点Ａを含めて、開口周縁部２７を円周四等分する４つの点のうち、基準点Ａを除く３つの点Ｂにおける開口周縁部２７から外方に突出して形成される。
係止穴部３２は、図５に示すように、第２の分割外殻２４の開口周縁部２７の基準点Ａを含めて、開口周縁部２７を円周四等分する４つの点のうち、基準点Ａを除く３つの点Ｃにおける開口周縁部２７に形成される。
【００２６】
外殻２６を閉じて第１の分割外殻２２および第２の分割外殻２４を突き合わせた際、第１の分割外殻２２の開口周縁部２７の３つの係止爪部３０と、これらに対応する位置に形成された、第２の分割外殻２４の開口周縁部２７の３つの係止穴部３２とがそれぞれ係合し、第１の分割外殻２２と第２の分割外殻２４とが繋ぎ合わされる。
【００２７】
荷崩れ防止リブ３４は、第１の分割外殻２２の開口周縁部２７の基準点Ａを含めて、開口周縁部２７を円周四等分する４つの点のうち、支持筋係止部４０近傍の点Ｂを除く２つの点Ｂおよび基準点Ａにおける開口周縁部２７から表面に沿って外殻２６の分割面に直交する方向に延びて形成される板状部材である。また、荷崩れ防止リブ３４は、第２の分割外殻２４の開口周縁部２７の基準点Ａを含めて、開口周縁部２７を円周四等分する４つの点のうち、支持筋係止部４０近傍の点Ｃを除く２つの点Ｃおよび基準点Ａにおける開口周縁部２７から表面に沿って外殻２６の分割面に直交する方向に延びて形成される板状部材である。
【００２８】
荷崩れ防止リブ３４は、図７に示すように、外殻２６を開いた状態にて中空埋込体２０を積み重ねた際に、下側の中空埋込体２０の荷崩れ防止リブ３４の端部と、上側の中空埋込体２０の第１の分割外殻２２および第２の分割外殻２４の開口周縁部２７とが当接し、下側の中空埋込体２０の第１の分割外殻２２および第２の分割外殻２４の外面と上側の中空埋込体２０の第１の分割外殻２２および第２の分割外殻２４の内面との間に適度な隙間を形成することによって、下側の中空埋込体２０と上側の中空埋込体２０とが密着して上側の中空埋込体２０を取り外しにくくなることを防止するとともに、運搬の際には積み重ねた中空埋込体２０の荷崩れを抑制するものである。
【００２９】
嵌合凹部３６は、外殻２６の中心を挟んでヒンジ部２８とは反対側の第１の分割外殻２２および第２の分割外殻２４の開口周縁部２７に形成される。嵌合凹部３６の、外殻２６の分割面に直交する方向の延長線上には、後述する支持筋係止部４０を構成するフック部４４が存在する。
嵌合凹部３６は、図７に示すように、外殻２６を開いた状態にて中空埋込体２０を積み重ねた際に、下側の中空埋込体２０のフック部４４が、上側の中空埋込体２０の嵌合凹部３６に嵌合し、フック部４４と開口周縁部２７との干渉を防止するとともに、運搬の際には積み重ねた中空埋込体２０の荷崩れを抑制するものである。
【００３０】
（支持筋係止部）
支持筋係止部４０は、支持筋１０を係止するものである。
支持筋係止部４０は、外殻２６の中心を挟んでヒンジ部２８とは反対側の第１の分割外殻２２および第２の分割外殻２４の開口周縁部２７の近傍の外殻の表面にそれぞれ設けられ、２つの支持筋係止部４０は、２本の平行な支持筋１０のそれぞれに対応する。
【００３１】
支持筋係止部４０は、図８に示すように、外殻２６の表面に形成され、支持筋１０の係止用フランジ部１４が係合した状態で支持筋１０をその長手方向に直交する方向にスライドさせるガイド溝４２と；外殻２６の表面から突設され、ガイド溝４２の長手方向にスライドする支持筋１０の支持筋本体１２が挿入される凹部を有するフック部４４と；外殻２６の表面に設けられ、フック部４４の凹部に挿入された支持筋本体１２に当接してフック部４４の凹部の開口部側への支持筋１０のスライドを規制する規制部４６とを有する。
【００３２】
ガイド溝４２は、外殻２６の分割面に対して直交する方向に延びる。したがって、ガイド溝４２に係止用フランジ部１４が係合した支持筋１０の長手方向は、外殻２６の分割面と平行になる。
【００３３】
フック部４４は、ガイド溝４２を挟むように、分割面に平行な方向に離間して２箇所設けられる。
フック部４４の凹部は、外殻２６の分割面に対して直交する方向に、かつ開口周縁部２７側に向かって開口するように形成される。
【００３４】
規制部４６は、ガイド溝４２を挟むように、分割面に平行な方向に離間して２箇所設けられる。
規制部４６は、外殻２６に固定された基端部から、フック部４４の凹部に挿入された支持筋本体１２に当接する先端部（自由端）に向かって、ガイド溝４２の長手方向と平行に延びる板状部材である。また、規制部４６の下方には、円弧状の段部４８が形成されることによって、外殻２６との間に間隙が形成されている。
【００３５】
規制部４６は、フック部４４の凹部に支持筋本体１２を挿入する際には、支持筋本体１２に押圧されて下方に弾性変形するものであり、フック部４４の凹部に支持筋本体１２が挿入された後には、弾性変形が解除され、支持筋本体１２に先端部が当接して支持筋１０のスライドを規制するものであり、かつフック部４４の凹部から支持筋本体１２を離脱させる際には、作業者に押圧されて下方に弾性変形するものである。
【００３６】
（作用効果）
以上説明した中空埋込体ユニット１にあっては、支持筋１０が所定ピッチで形成された複数の係止用フランジ部１４を有し、この係止用フランジ部１４が、中空埋込体２０の外殻２６の表面に設けられた支持筋係止部４０のガイド溝４２に係合するため、複数の中空埋込体２０を支持筋１０で一列に連設した際に、中空埋込体２０を所定ピッチで位置決めできる。
【００３７】
また、支持筋１０の係止用フランジ部１４が、ガイド溝４２に係合しているため、支持筋１０のその長手方向への移動が規制され、さらに、支持筋１０の支持筋本体１２が、中空埋込体２０の支持筋係止部４０のフック部４４の凹部に挿入され、かつ規制部４６によってフック部４４の凹部の開口部側への支持筋１０のスライドが規制されているため、中空埋込体２０を支持筋１０に固定できる。
【００３８】
また、支持筋１０が、支持筋本体１２の端部近傍に形成された２つの連結用フランジ部１６を有し、連結用フランジ部１６とこれに最も近い内側の係止用フランジ部１４との間隔が、係止用フランジ部１４間の所定ピッチの半分とされているため、図９に示すように、一方の支持筋１０の連結用フランジ部１６と他方の支持筋１０の連結用フランジ部１６とを突き合わせることによって、突き合わせ部分を挟んだ一方の支持筋１０の係止用フランジ部１４と他方の支持筋１０の係止用フランジ部１４との間隔が所定ピッチとほぼ同じになるように、２つの支持筋１０を連結できる。
【００３９】
また、規制部４６が、フック部４４の凹部に支持筋本体１２を挿入する際には、支持筋本体１２に押圧されて弾性変形するものであり、かつフック部４４の凹部に支持筋本体１２が挿入された後には、弾性変形が解除され、支持筋本体１２に先端部が当接して支持筋１０のスライドを規制するものであるため、支持筋係止部４０への支持筋１０の取り付けおよび固定を規制部４６の弾性変形によって容易に行うことができる。
【００４０】
また、規制部４６が弾性変形するものであるため、フック部４４の凹部から支持筋本体１２を離脱させる際には、支持筋係止部４０からの支持筋１０の取り外しが、規制部４６の弾性変形によって容易に行うことができる。例えば、一列に連設した複数の中空埋込体２０のうち、中空埋込体２０の不具合等の理由で一部の中空埋込体２０を取り外す必要が生じた場合であっても、その中空埋込体２０のみを支持筋１０から取り外すことができる。
【００４１】
また、支持筋１０が２本であり、かつ中空埋込体２０がそれぞれの支持筋１０に対応した支持筋係止部４０を有するため、支持筋１０を回転軸とした中空埋込体２０の回転が抑制され、コンクリート打設の際の中空埋込体２０の浮き上がりを抑制できる。
【００４２】
また、中空埋込体２０が、二分割可能な外殻２６と、二分割された第１の分割外殻２２および第２の分割外殻２４をその開口周縁部２７にて連結するヒンジ部２８を有するため、外殻２６を開いた状態にて複数の中空埋込体２０または中空埋込体ユニット１を積み重ねることができ、外殻２６を閉じたままで運搬する場合よりも数多くの中空埋込体２０または中空埋込体ユニット１を運搬できる。
【００４３】
さらに、外殻２６の中心を挟んでヒンジ部２８とは反対側の開口周縁部２７の近傍に支持筋係止部４０が設けられているため、外殻２６を開いた状態にて複数の中空埋込体ユニット１を積み重ねる場合には、図７に示すように、支持筋１０が両側方に位置することになり、中空埋込体ユニット１を積み重ねる際に支持筋１０が邪魔になることはない。また、外殻２６を閉じた状態においては、図８に示すように、一列に連設された複数の中空埋込体２０の上方に２本の支持筋１０が平行に位置することになり、中空埋込体ユニット１の取扱性、および中空スラブ工法によって中空コンクリートスラブを形成する際の施工性が良好となる。
【００４４】
（他の形態）
なお、本発明の中空埋込体ユニットは、図示例の中空埋込体ユニット１に限定はされない。
例えば、中空埋込体の形状は、図示例の球状に限定はされず、楕円体形状であってもよく、立方体形状であってもよい。ただし、コンクリート打設時の圧力に対する強度の点から、球状または楕円体形状が好ましく、球状が特に好ましい。
【００４５】
また、支持筋の本数（支持筋係止部４０の数）は、図示例の２本に限定はされず、１本であってもよく、３本以上であってもよい。ただし、支持筋１０を回転軸とした中空埋込体２０の回転が抑制され、コンクリート打設の際の中空埋込体２０の浮き上がりを抑制できる点から、支持筋の本数は複数本が好ましく、中空埋込体２０の連設のしやすさの点から、支持筋の本数は２本が特に好ましい。
【００４６】
また、図１０に示すように、中空埋込体２０は、第１の分割外殻２２および第２の分割外殻２４のそれぞれの内面に、十字形の補強リブ４９が設けられていてもよい。開口面側に向いた補強リブ４９の端面は、外殻２６が開いた状態の中空埋込体２０を積み重ねやすい点から、外殻２６の該面の曲率半径と同じ曲率半径とすることが好ましい。
補強リブ４９を設けることによって、外殻２６の歪が抑制され、中空埋込体２０の外観がよくなる；外殻２６が開いた状態の中空埋込体２０を安定して積み重ねることができ、また、保管中の外殻２６の変形も抑制される；コンクリート打設時の圧力に対する中空埋込体２０の強度が増す；等の効果が発揮される。
【００４７】
＜施工方法＞
以下、本発明の中空埋込体ユニットを用いた中空スラブ工法による中空コンクリートスラブの施工方法について説明する。
まず、図１１に示すように、型枠パネル５０の上に下端筋５２および上端筋５４をそれぞれ格子状に、かつ格子の升目の位置が高さ方向で一致するように配筋し、下端筋５２同士が交差する箇所および上端筋５４同士が交差する箇所において結束する。さらに、上端筋５４の位置決めを行うためのフックアンカー５６を複数用意し、フックアンカー５６の上端のフックを上端筋５４に引っ掛けた状態で、フックアンカー５６の下端のアンカーを型枠パネル５０の取付孔に挿し込み、固定する。
【００４８】
ついで、図１２に示すように、下端筋５２の格子の１つの升目とこれに対応する上端筋５４の格子の１つの升目とそれぞれの升目の角同士を結ぶ仮想線とで形成される略立方体の配置用空間のそれぞれに中空埋込体２０が１つ１つ挿入されるように、上端筋５４の上方から中空埋込体ユニット１を複数配置し、中空埋込体ユニット１の支持筋１０が上端筋５４の上に掛け渡された状態にて、支持筋１０と上端筋５４とが交差する箇所において結束する。
【００４９】
ついで、図１３に示すように、下端筋５２、中空埋込体ユニット１および上端筋５４が完全に埋まるように型枠パネル５０の上にコンクリート５８を打設する。
コンクリートが硬化した後、型枠パネル５０を脱型し、中空コンクリートスラブが完成する。
【産業上の利用可能性】
【００５０】
本発明の中空埋込体ユニットは、中空スラブ工法によって中空コンクリートスラブを施工する際の、中空埋埋込体として有用である。
【符号の説明】
【００５１】
１  中空埋込体ユニット
１０  支持筋
１２  支持筋本体
１４  係止用フランジ部
１６  連結用フランジ部
２０  中空埋込体
２２  第１の分割外殻
２４  第２の分割外殻
２６  外殻
２７  開口周縁部
２８  ヒンジ部
４０  支持筋係止部
４２  ガイド溝
４４  フック部
４６  規制部
【図１】
2011220036.tif 000003
【図２】
2011220036.tif 000004
【図３】
2011220036.tif 000005
【図４】
2011220036.tif 000006
【図５】
2011220036.tif 000007
【図６】
2011220036.tif 000008
【図７】
2011220036.tif 000009
【図８】
2011220036.tif 000010
【図９】
2011220036.tif 000011
【図１０】
2011220036.tif 000012
【図１１】
2011220036.tif 000013
【図１２】
2011220036.tif 000014
【図１３】
2011220036.tif 000015